(57)【要約】      （修正有）【課題】綿布、毛織布、化学繊維布不織布、合成樹脂シートに硼砂をむらなく均一に附着せしめ更にその外層に硼砂スライム膜を施した放射線防御硼砂付着布を作製し、通気性ある布ではマスク内に装着して呼吸による外気放射線量の低減を図り内部被爆を防御し、厚手の布、厚手不織布、合成樹脂シートで作製した放射線防御硼砂付着布及び放射線防御硼砂付着合成樹脂シートで身体表部放射線被爆を防ぐ防護服生地、全身を覆う放射線防御布を提供する。【解決手段】各種布類、不織布、化学繊維布、合成樹脂シート等３に糊類で硼砂をむらなく均一に付着せしめ２、更に其の外層に、硼砂スライム膜１を付着させ放射線防御硼砂付着布及び放射線防御硼砂付着合成樹脂シートを作製する。【選択図】図３
2013169790.tif 000002
【特許請求の範囲】
【請求項１】
ガーゼ、綿布、毛織布、化学繊維布、不織布、フィルム状合成樹脂シート等に糊或は合成樹脂性糊で硼砂をむらなく一様に吸着附着せしめ、更にその外層に硼砂スライム膜を施す。
上記硼砂付着処理布類の中で通気性有る布をマスク内に装着し口鼻を覆い、呼吸による気管、肺部からの放射線量低減を図る放射線防御硼砂付着布、及び上記硼砂付着処理布類の中で厚手布地で硼砂付着量多く放射線量低減効果の高い布を身體表部を覆い、外氣よりの放射線量低減を図り放射線被爆を防御することを目的とした放射線防御硼砂付着布、及びフィルム状合成樹脂シートに硼砂をむらなく一様に附着せしめ、更にその外層に硼砂スライム膜を施した放射線防御硼砂付着合成樹脂シートとその製法に関する。
【発明の詳細な説明】
【技術分野】
【０００１】本発明は呼吸による外気から吸入する放射線量低減を図り放射線被爆を防御する目的と、身体表部よりの放射線被爆を防御する目的の放射線防御硼砂付着布及び硼砂付着合成樹脂シートに関する。
【背景技術】
【０００２】従来の呼吸からの放射線體内被爆の防止には微細繊維緻密織の防塵マスク、或は活性炭による微少粉塵吸着マスクによって吸入放射線量の低減を図るものがあった。
通常市販の微細繊維緻密織の防塵マスク、活性炭による微少粉塵吸着マスクでは放射線遮断、放射線量の低減は不可能であった。吸気からの内部被曝を防ぐ硼砂付着布の層による放射線量の低減を企図した放射線防御マスクは市中に存在していなかった。【０００３】市販放射線防護服はフイルム状合成樹脂の緻密性で放射線を含んだ微少粉塵を直接皮膚に接触させない方法を選んでいたが放射線遮断、放射線量の低減には無力であった。
【発明の開示】
【発明が解決しようとする課題】
【０００４】この発明はガーゼ、綿布、毛織布、化学繊維布、不織布、フイルム状合成樹脂シート等各種厚薄の布類に糊或は合成樹脂性糊で硼砂をむらなく均一に附着せしめ更にその外層に硼砂スライム膜を施した放射線防御硼砂付着布の内で、通気性ある布層で口鼻を覆い呼吸による内部被爆を防御する放射線防御硼砂付着布の濾過層装着マスクを実現することと、
各種布類の内、厚手綿布、厚手毛織布、厚手不織布、厚手化学繊維布などで緻密布地及び通気性のないフィルム状合成樹脂シートに糊或は合成樹脂性糊で硼砂をむらなく一様に附着せしめ、更にその外層に硼砂スライム膜を施し硼砂を重層均一に付着せしめた放射線防御硼砂付着布及び放射線防御硼砂付着合成樹脂シートを作製して身體表部の放射線被爆を防御する布及び放射線防護服製造生地を実現することを目的とした。【０００５】上記各種布類の内で厚手布類、厚手不織布、厚手化学繊維布などは硼砂付着量が多く強度、柔軟性が高い放射線防御硼砂付着布となるので寝具毛布状大型に裁断して身体全部を覆うに使用し、乳児、小兒、身体の小さい人々の全身を包み放射線被爆を低減する多用途の放射線防御硼砂付着布生地を実現することを目的とした。
【課題を解決するための手段】
【０００６】硼砂、硼酸、炭化ホウ素その他ホウ素化合物が放射線を遮断、放射線透過線量を低減する能力があることは物理化学実験にて証明されている。原子力船むつの原子炉からの放射線漏洩時、米飯と硼砂で放射線遮断を試みた実例もある。
本発明には人体に触れても無害で低廉な素材、硼砂の使用を選択したがその他のホウ素化合物のうちで放射線遮断、放射線量低減力が有効で人体に触れても無害で安全なホウ素化合物を素材として選用することも出来る。【０００７】呼吸による放射線内部被曝を防ぐ課題を解決するための手段は次の素材、方法をもって構成した。【０００８】ガーゼ、綿布、毛織布、化学繊維布、不織布に糊或は合成樹脂性糊で硼砂をむらなく均一に付着せしめ、更に其の外層に硼砂溶解水とポリビニールアルコール溶解水を混合した硼砂スライム作製液に浸して、硼砂スライム膜を付着させ乾燥し放射線防御硼砂付着布を作製する。硼砂付着層、放射スライム膜は放射線量の低減効果を有し、硼砂スライム膜の粘着性は硼砂剥離、微粒硼砂の飛散を防ぐ。【０００９】上記各種布地類は硼砂附着量に差が有るので布地を重ね、枚数を異にした布層をレントゲンで写真撮影しＸ線遮断効果を確かめ、通気性あり呼吸に適した枚数を重ね放射線量低減を図る放射線防御硼砂付着布の濾過層を構成する。【００１０】作成された放射線防御硼砂付着布の濾過層をマスクに適した面積に裁断縫製し、通気性あり水に濡れても破れない性質ある紙、同前効果ある化学合成紙、緻密織目布等で包装し、マスク内に装着し口鼻を覆い、呼吸中の放射線量の低減を図り内部被爆を防御する。塵除けに用いる手拭、タオル内に装着使用することも可能である。【００１１】外気放射線の被爆を防ぐ防護服生地の作製手段は次の素材、方法を以って構成した。
フィルム状合成樹脂シートに糊或は合成樹脂性糊で硼砂をむらなく一様に附着せしめ、更にその外層に硼砂溶解水とポリビニールアルコール溶解水を混合した硼砂スライム作製液に浸して硼砂スライム膜を付着させた放射線防御硼砂付着合成樹脂シートを作製して身體表部の放射線被爆を防御する放射線防護服生地を実現した。
放射線防御硼砂付着合成樹脂シートをレントゲンで写真撮影しＸ線遮断効果を確かめ之を用いて放射線防御服を作成して身体表部の放射線被爆を防御する。【００１２】各種布類の内、厚手綿布、厚手毛織布、厚手不織布、厚手化学繊維布などで緻密布地に糊或は合成樹脂性糊で硼砂を高濃度均一に附着せしめ、更にその外層に前記と同じ方法で硼砂スライム膜を施した品は放射線防御布合成樹脂シートに勝る柔軟性、強度があるので、合成樹脂シート製放射線防護服の破損断裂が生じた場合緊急に破損断裂部を覆うに使用し、乳児、小兒、身体の小さい人々の全身を包み放射線被爆を低減する多用途放射線防御硼砂付着布を実現することを目的とした。レントゲンで写真撮影しＸ線遮断効果を確かめることは前項目と同じである。
【硼砂付着手段の別方法】
【００１３】ガーゼ、綿布、毛織布、不織布、化学繊維布等の布地を１００℃の硼砂２８％飽和水溶液に浸し充分に浸み込ませた後風干する。干燥後更に１００℃の硼砂２８％飽和水溶液に浸し再度硼砂を浸み込ませ干燥する。此の作業を数回繰り返して布地組織の硼砂密度を高める。硼砂付着布干燥後、上項同様に硼砂スライム膜を施し放射線防御硼砂付着布を作製する。放射スライム膜は放射線遮断、低減の効果をさらに増し、硼砂スライム膜の粘着性は放射線防御布の微粒硼砂の飛散を防ぐ効を増す。
【発明の効果】
【００１４】硼砂は放射線遮断低減効果が高くしかも硼砂を附着させる布地類も特殊なものでなく、安価な日常普及品で充分用を成すもので、呼吸からの放射線体内被曝を防ぐ最適な放射線防御硼砂付着布を提供されることになった。放射線汚染地域に入る時には放射線防御布濾過層の厚薄を選んで放射線防御マスクを作製使用し、身体表部の放射線量を低減するのに放射線防御硼砂付着合成樹脂シート或は高濃度に硼砂を付着した厚手布類の放射線防御硼砂付着布を用いて防護服を作製着用し放射線被爆を防御する効果を得られた。本発明は従来の微細緊密織の粉塵除けマスク、活性炭による微少粉塵吸着マスク、従来の合成樹脂製防御服の欠点を解決したものである。
【発明を実施するための最良の形態】
【００１５】放射線防御布の濾過層を装着した放射線防御マスクの最良の形態を図示を以って説明する。
「図１」は１緻密布或いは緻密合成紙の袋内に２硼砂スライム膜  ３放射線防御硼砂付着布の濾過層を封入しマスク上に装着した横断面図である。
「図１」２は硼砂スライム膜である。
「図１」３はガーゼ、綿布、毛織布、化学繊維布  不織布等通気性ある布地で作製した放射線防御硼砂付着布で構成された放射線濾過層である。
「図１」４はマスクである。
「図２」は１緻密布或いは緻密合成紙袋内に２硼砂スライム膜  ３放射線防御硼砂付着布の濾過層を封入し、マスク上に装着した平面図である。
「図２」２は硼砂スライム膜である
「図２」３はガーゼ、綿布、毛織布、化学繊維布、不織布等通気性ある布地で作製した放射線防御硼砂付着布で構成された放射線防御硼砂付着布の濾過層である。
「図２」４はマスクである。
「図１」「図２」の構成によって口鼻より侵入する放射線の低減を図り内部被爆を防御する製品とした。
「図３」はフイルム状合成樹脂シートに硼砂を付着し更に硼砂スライム膜を付着した図である。又は綿布、毛織布、不織布、化学繊維布などで厚手で緻密で通気性の少ない布地に硼砂を付着更に硼砂スライム膜を付着した図である。
湯上りタオル大、寝具敷布大、寝具毛布大など全身を覆える形状、面積に裁断して放射線防御に適宜応用する製品とした。
「図３」１は硼砂スライム膜である
「図３」２合成樹脂シートに硼砂を付着した図である。
「図３」３は合成樹脂シート又は綿布、毛織布、不織布、化学繊維などで厚手で緊密で硼砂付着量の多い布地である。
【実施例】
【００１６】ガーゼ、綿布  毛織布  化学繊維布  不織布等通気性ある布地で構成した放射線防御硼砂付着布の濾過層を呼氣吸氣が通過出来る密度に構成して放射能汚染地域内に立ち入るときマスク内に装着して放射線量を低減し、放射線内部被爆を防御する。放射線防御硼砂付着布の濾過層を手拭、タオルにて被覆し、口鼻を覆い吸気からの放射線内部被爆を防御する。【００１７】厚手綿布、厚手毛織布、厚手不織布、厚手化学繊維布などの緻密布地の放射線防御硼砂付着布は柔軟性、強度があるので合成樹脂シート製放射線防御服の断裂が生じた場合、断裂部を覆い修復するに用いる。或いは湯上りタオル大、寝具敷布大、寝具毛布大などの形状、面積に裁断し全身を覆う。乳児、小兒、身体の小さい人々は全身を包みこみ、緊急時に放射線汚染地より避難する時の放射線防御用品とする。【００１８】フィルム状合成樹脂シートに糊或は合成樹脂性糊で硼砂を均一に付着せしめ更にその外層に硼砂溶解水とポリビニールアルコール溶解水を混合した硼砂スライム作製液に浸して硼砂スライム膜を施した身體表部よりの放射線防御硼砂付着合成樹脂シートの放射線防護服は、従来の硼砂未処理防護服が放射線低減の効果の無い欠点を解結した。硼砂スライムの粘着性は放射線防御シートの微粒硼砂の剥離飛散を防ぐ効果もある。【００１９】放射線防御硼砂を直接着衣、帽子  目出し冒  手袋、靴、靴下に即時に付着するには超微粒硼砂を混入、溶解した硼砂溶解液を家庭用霧吹き器、園芸用霧吹き器、スプレイ式噴霧缶から衣服に直接吹きかけ付着させて放射線遮断、放射線量低減の効を挙げる噴霧容器法式がある。
【産業上の利用可能性】
【００２０】原発事故による放射線量高地域の人々の呼吸による体内被曝の防御に有用である。福島県東電原発周辺３０ｋｍ以内に入る避難住民がポリエステルの防塵性防禦服を着用し通常のガーゼマスクを着用している様子をテレビが放映しているが単なるガーゼマスクでは呼吸の度に放射線を体内に取り入れてしまう。放射線量の高い地域に入る時に発明の放射線防御効果を持つ放射線防御硼砂付着布の濾過層をマスクに装着すれば呼吸による体内被曝を低減する効果がある。【００２１】既存合成樹脂製防護服は放射線遮断低減作用の効力はないが、発明のフイルム状合成樹脂放射線防御硼砂付着シート製の放射線防御服を作製使用により身体表部からの放射線遮断、放射線量低減の効果によって放射線被爆の害を避けることが可能である。【００２２】医療用放射線機具機械、医療用放射線医薬品、工業用放射線機具機械等取扱者の放射線内外被爆防護にも有効である。
【図面の簡単な説明】
【００２３】
【図１】は放射線防御マスク横断面図である。
【図２】は１緻密布或いは緻密合成紙袋内に２硼砂スライム膜  ３放射線防御硼砂付着布の濾過層を封入し、マスク上に装着した平面図である。
【図３】はフイルム状合成樹脂シートに硼砂を付着し更に硼砂スライム膜を付着した図である。又は綿布、毛織布、不織布、化学繊維などで厚手で緊密で通気性の少ない布地に硼砂を付着更に硼砂スライム膜を付着した平面図である。
【符号の説明】
【００２４】「図１」
１    緻密袋
２    硼砂スライム膜
３    放射線防禦硼砂付着布の濾過層
４    マスク
「図３」
１    硼砂スライム膜
２    硼砂付着部
３    合成樹脂シート・厚手布地
【図１】
2013169790.tif 000003
【図２】
2013169790.tif 000004
【図３】
2013169790.tif 000005